(57)【特許請求の範囲】
【請求項１】
シートを案内する主搬送路を構成する主ガイド部と、
上記主搬送路へ給送されるシートが載置される載置部と、
シートを上記主搬送路に沿った搬送向きに搬送する第１搬送部と、
上記第１搬送部よりも上記搬送向きの下流側に設けられており、上記搬送向きと直交する幅方向において複数が離間されて配置された凸部を有し、上記主搬送路を搬送されるシートを下側から支持する支持部と、
上記支持部の上方に上記支持部と対向して設けられており、ノズルからインク滴を吐出することによって上記支持部に支持されたシートに対して印刷データに基づいて画像を記録する記録部と、
上記ノズルよりも上記搬送向きの上流側の上記支持部と対向する位置に、上記幅方向における上記凸部の間に複数が離間されて設けられており、上記支持部に支持されたシートの上面に当接し、上記凸部と協同して当該シートに波形状を付与する当接部と、
上記支持部よりも上記搬送向きの下流側の第１位置、及び上記第１搬送部よりも上記搬送向きの上流側の第２位置において上記主搬送路と接続された反転搬送路を構成する反転ガイド部と、
上記第１位置よりも上記搬送向きの下流側に設けられており、シートを上記搬送向きまたは上記反転搬送路に向けて搬送する第２搬送部と、
印刷データに基づいて、シートに吐出されたインク量を算出する算出部と、
上記載置部から上記主搬送路へ給送されて第１面に画像を記録されたシートの上記搬送向きの上流端領域のインク量に基づいて、上記反転搬送路から上記第２位置を経て上記主搬送路へ搬送されて上記第１面の裏側の第２面に画像を記録されるシートを、当該シートの上記搬送向きの下流端部が上記当接部と対向された状態で停止させるか否かを判断する判断部と、
上記判断部の判断に基づいてシートを停止させる停止部と、を備えるインクジェット記録装置。
【請求項２】
上記判断部は、
上記第１面または上記第２面におけるシートの上記搬送向きの下流端領域のインク量に基づいて、当該シートを、当該下流端領域が上記ノズル及び上記当接部と対向した状態で停止させるか否かを判断する請求項１に記載のインクジェット記録装置。
【請求項３】
上記判断部は、
上記第１面または上記第２面におけるシートの上記搬送向きの上流端領域のインク量に基づいて、当該シートを、当該上流端領域が上記ノズル及び上記当接部と対向した状態で停止させるか否かを判断する請求項１または２に記載のインクジェット記録装置。
【請求項４】
シートを案内する主搬送路を構成する主ガイド部と、
上記主搬送路へ給送されるシートが載置される載置部と、
シートを上記主搬送路に沿った搬送向きに搬送する搬送部と、
上記搬送部よりも上記搬送向きの下流側に設けられており、上記搬送向きと直交する幅方向において複数が離間されて配置された凸部を有し、上記主搬送路を搬送されるシートを下側から支持する支持部と、
上記支持部の上方に上記支持部と対向して設けられており、ノズルからインク滴を吐出することによって上記支持部に支持されたシートに対して印刷データに基づいて画像を記録する記録部と、
上記ノズルよりも上記搬送向きの上流側の上記支持部と対向する位置に、上記幅方向における上記凸部の間に複数が離間されて設けられており、上記支持部に支持されたシートの上面に当接する当接部と、
印刷データに基づいて、シートに吐出されたインク量を算出する算出部と、
上記載置部から上記主搬送路へ給送されて第１面に画像を記録されたシートの上記搬送向きの下流端領域のインク量に基づいて、当該シートを、当該下流端領域が上記ノズル及び上記当接部と対向した状態で停止させるか否かを判断する判断部と、
上記判断部の判断に基づいてシートを停止させる停止部と、を備えるインクジェット記録装置。
【請求項５】
上記判断部は、
上記第１面におけるシートの上記搬送向きの上流端領域のインク量に基づいて、当該シートを、当該上流端領域が上記ノズル及び上記当接部と対向した状態で停止させるか否かを判断する請求項４に記載のインクジェット記録装置。
【請求項６】
上記算出部は、
シートの上記搬送向きの端部領域を上記幅方向に複数に分割した幅単位領域の各々についてシートに吐出されたインク量を算出するものであり、
上記判断部は、
上記搬送向きの下流端部または上流端部の各幅単位領域のインク量の平均値が予め設定された平均閾値よりも大きいことを条件として、当該シートを停止させることを決定する請求項１から５のいずれかに記載のインクジェット記録装置。
【請求項７】
上記算出部は、
シートの上記搬送向きの端部領域を上記幅方向に複数に分割した幅単位領域の各々についてシートに吐出されたインク量を算出するものであり、
上記判断部は、
上記搬送向きの下流端部または上流端部の各幅単位領域のインク量のいずれかが予め設定された最大閾値よりも大きいことを条件として、当該シートを停止させることを決定する請求項１から６のいずれかに記載のインクジェット記録装置。
【請求項８】
上記最大閾値は、幅単位領域毎に設定されており、
上記幅方向の端部の幅単位領域における上記最大閾値は、上記幅方向の端部以外の幅単位領域における上記最大閾値よりも小さく設定されている請求項７に記載のインクジェット記録装置。
【請求項９】
上記算出部は、
シートの上記搬送向きの端部領域を上記幅方向に複数に分割した幅単位領域の各々についてシートに吐出されたインク量を算出するものであり、
上記判断部は、
隣接する幅単位領域のインク量の差分が予め設定された隣接閾値よりも大きいことを条件として、当該シートを停止させることを決定する請求項１から８のいずれかに記載のインクジェット記録装置。
【請求項１０】
上記算出部は、
シートの上記搬送向きの端部領域を上記幅方向に複数に分割した幅単位領域の各々についてシートに吐出されたインク量を算出するものであり、
上記判断部は、
各幅単位領域のうちの上記当接部と対向する幅単位領域において最も近い領域同士、または、上記凸部と対向する幅単位領域において最も近い領域同士のインク量の差分が予め設定された近接閾値よりも大きいことを条件として、当該シートを停止させないことを決定する請求項１から５のいずれかに記載のインクジェット記録装置。
【請求項１１】
端部領域は、
上記凸部と対向する位置を境界として複数の幅単位領域に分割される請求項６から１０のいずれかに記載のインクジェット記録装置。
【請求項１２】
端部領域は、
上記当接部と対向する位置を境界として複数の幅単位領域に分割される請求項６から１０のいずれかに記載のインクジェット記録装置。
【請求項１３】
端部領域は、
上記幅方向における上記凸部と上記当接部との間の位置と対向する位置を境界として複数の幅単位領域に分割される請求項６から１０のいずれかに記載のインクジェット記録装置。
【請求項１４】
上記算出部は、
シートの上記搬送向きの端部領域を上記搬送向きに複数に分割した搬送単位領域の各々についてシートに吐出されたインク量を算出するものであり、
上記判断部は、
搬送単位領域毎にシートを停止させるか否かを判断する請求項１から１３のいずれかに記載のインクジェット記録装置。
【発明の詳細な説明】
【技術分野】
【０００１】
本発明は、シートにインク滴を吐出することによって画像記録を行うインクジェット記録装置に関する。
【背景技術】
【０００２】
従来より、インク滴を吐出してシートに画像記録を行うインクジェット記録装置が知られている。インクジェット記録装置における画像記録は、記録部に設けられたノズルからインク滴がシートに向けて吐出されることによって行われる。
【０００３】
前述されたインクジェット記録装置において、コックリングと呼ばれる不具合が生じることがある。コックリングとは、インク滴が浸透したシートが変形する現象をいい、この変形により、シートが丸まったり波打ったりすることが知られている。シートにコックリングが生じると、画像記録の途中においてシートと記録部との間隔（ヘッドギャップ）が変化する。これにより、変形したシートが記録部に当接したり、シートの先端が所望の位置から外れて搬送されたりすることにより、シート詰まり（ジャム）が発生するおそれがある。
【０００４】
このような問題を解決可能であって両面印刷可能な画像記録装置が、特許文献１に開示されている。当該画像記録装置は、表面に画像を記録した後であって裏面に画像を記録する前のシートをＵ字状の搬送路において所定時間停止させる。これにより、シートは、当該Ｕ字状にカール癖付けされる。このカール癖付けによるシートのカールと、上述したコックリングによるシートのカールとが逆向きである場合、双方のカールが相殺されることにより、シートのコックリングによる変形が緩和される。
【先行技術文献】
【特許文献】
【０００５】
【特許文献１】特開２００９−０８３２２５号公報
【発明の概要】
【発明が解決しようとする課題】
【０００６】
しかしながら、特許文献１に開示された画像記録装置では、上記カール癖付けによるシートのカールと、コックリングによるシートのカールとが同じ向きである場合、却ってシートのカールが酷くなってしまう。また、コックリングでは、インク滴がシートのいずれの位置に多量に吐出されるかによって、シートが変形する箇所や、シートが変形する向きが異なる。よって、シートをＵ字状の搬送路でカール癖付けする特許文献１に開示された画像記録装置では、シートのカールを正確に相殺することができないおそれがあった。
【０００７】
本発明は、上記問題に鑑みてなされたものであり、その目的は、インク滴の浸透に起因するシートの変形によるシート詰まりの発生を低減することができるインクジェット記録装置を提供することにある。
【課題を解決するための手段】
【０００８】
(1)  本発明のインクジェット記録装置は、シートを案内する主搬送路を構成する主ガイド部と、上記主搬送路へ給送されるシートが載置される載置部と、シートを上記主搬送路に沿った搬送向きに搬送する第１搬送部と、上記第１搬送部よりも上記搬送向きの下流側に設けられており、上記搬送向きと直交する幅方向において複数が離間されて配置された凸部を有し、上記主搬送路を搬送されるシートを下側から支持する支持部と、上記支持部の上方に上記支持部と対向して設けられており、ノズルからインク滴を吐出することによって上記支持部に支持されたシートに対して印刷データに基づいて画像を記録する記録部と、上記ノズルよりも上記搬送向きの上流側の上記支持部と対向する位置に、上記幅方向における上記凸部の間に複数が離間されて設けられており、上記支持部に支持されたシートの上面に当接する当接部と、上記支持部よりも上記搬送向きの下流側の第１位置、及び上記第１搬送部よりも上記搬送向きの上流側の第２位置において上記主搬送路と接続された反転搬送路を構成する反転ガイド部と、上記第１位置よりも上記搬送向きの下流側に設けられており、シートを上記搬送向きまたは上記反転搬送路に向けて搬送する第２搬送部と、印刷データに基づいて、シートに吐出されたインク量を算出する算出部と、上記載置部から上記主搬送路へ給送されて第１面に画像を記録されたシートの上記搬送向きの上流端領域のインク量に基づいて、上記反転搬送路から上記第２位置を経て上記主搬送路へ搬送されて上記第１面の裏側の第２面に画像を記録されるシートを、当該シートの上記搬送向きの下流端部が上記当接部と対向された状態で停止させるか否かを判断する判断部と、上記判断部の判断に基づいてシートを停止させる停止部と、を備える。
【０００９】
本構成によれば、載置部から主搬送路へ給送されて第１面（表面）に画像記録されたシートは、第２搬送部によって第１面の画像記録時の搬送向きの上流端を先頭として、反転搬送路を第１位置から第２位置へ向けて搬送され、再び主搬送路を記録部と対向する位置に向けて搬送される。シートが再び記録部と対向した状態においてノズルからインク滴が吐出されることによって、シートの第２面（裏面）に画像が記録される。そして、シートの第２面への画像記録時とシートの第１面への画像記録時とでは、シートの搬送向きにおける下流端と上流端とが逆となっている。つまり、シートの第２面への画像記録時におけるシートの搬送向きの下流端の裏側は、シートの第１面への画像記録時におけるシートの搬送向きの上流端となっている。
【００１０】
そして、本構成では、例えば、シートが反転搬送路から第２位置を経て再び主搬送路へ搬送された状態において、当該シートに対する第１面の画像記録時の搬送向きの上流端部のインク量が多かった場合に、当該シートは、搬送向きの下流端部（つまりインク量が多かった上記上流端部の裏側）が当接部と当接された状態で停止される。ここで、シートの搬送向きの下流端部は、凸部に支持された状態で当接部に押さえられることによって、幅方向に沿って波打ちした状態となる。そして、シートが波打ちした状態となることによって、多量のインクの付着によるシートの搬送向きの下流端部の変形が緩和される。
【００１１】
(2)  上記判断部は、上記第１面または上記第２面におけるシートの上記搬送向きの下流端領域のインク量に基づいて、当該シートを、当該下流端領域が上記ノズル及び上記当接部と対向した状態で停止させるか否かを判断する。
【００１２】
本構成によれば、シートの搬送向きの下流端領域に多量のインク滴が吐出されている状態において、当該シートは、当該下流端領域の直ぐ上流側において当接部によって押さえられている。これにより、当該シートは、幅方向に沿って波打ちした状態となる。その結果、多量のインク滴の吐出による当該下流端領域の変形を緩和することができる。
【００１３】
(3)  上記判断部は、上記第１面または上記第２面におけるシートの上記搬送向きの上流端領域のインク量に基づいて、当該シートを、当該上流端領域が上記ノズル及び上記当接部と対向した状態で停止させるか否かを判断する。
【００１４】
本構成によれば、シートの搬送向きの上流端領域に多量のインク滴が吐出されている状態において、当該シートは、当該上流端領域の直ぐ上流側において当接部によって押さえられている。これにより、当該シートは、幅方向に沿って波打ちした状態となる。その結果、多量のインク滴の吐出による当該上流端領域の変形を緩和することができる。
【００１５】
(4)  本発明のインクジェット記録装置は、シートを案内する主搬送路を構成する主ガイド部と、上記主搬送路へ給送されるシートが載置される載置部と、シートを上記主搬送路に沿った搬送向きに搬送する搬送部と、上記搬送部よりも上記搬送向きの下流側に設けられており、上記搬送向きと直交する幅方向において複数が離間されて配置された凸部を有し、上記主搬送路を搬送されるシートを下側から支持する支持部と、上記支持部の上方に上記支持部と対向して設けられており、ノズルからインク滴を吐出することによって上記支持部に支持されたシートに対して印刷データに基づいて画像を記録する記録部と、上記ノズルよりも上記搬送向きの上流側の上記支持部と対向する位置に、上記幅方向における上記凸部の間に複数が離間されて設けられており、上記支持部に支持されたシートの上面に当接する当接部と、印刷データに基づいて、シートに吐出されたインク量を算出する算出部と、上記載置部から上記主搬送路へ給送されて第１面に画像を記録されたシートの上記搬送向きの下流端領域のインク量に基づいて、当該シートを、当該下流端領域が上記ノズル及び上記当接部と対向した状態で停止させるか否かを判断する判断部と、上記判断部の判断に基づいてシートを停止させる停止部と、を備える。
【００１６】
本構成によれば、シートの片面にのみ画像を記録するインクジェット記録装置においても、上記（２）と同様の効果を奏することができる。
【００１７】
(5)  上記判断部は、上記第１面におけるシートの上記搬送向きの上流端領域のインク量に基づいて、当該シートを、当該上流端領域が上記ノズル及び上記当接部と対向した状態で停止させるか否かを判断する。
【００１８】
本構成によれば、シートの片面にのみ画像を記録するインクジェット記録装置においても、上記（３）と同様の効果を奏することができる。
【００１９】
(6)  上記算出部は、シートの上記搬送向きの端部領域を上記幅方向に複数に分割した幅単位領域の各々についてシートに吐出されたインク量を算出するものである。上記判断部は、上記搬送向きの下流端部または上流端部の各幅単位領域のインク量の平均値が予め設定された平均閾値よりも大きいことを条件として、当該シートを停止させることを決定する。
【００２０】
シートの搬送向きの端部領域に平均して多量のインク滴が吐出されている状態では、シートは当該端部領域において変形しやすい。本構成によれば、上記状態において、当該シートは、当該端部領域の直ぐ上流側において当接部によって押さえられた状態で停止される。これにより、当該シートは、幅方向に沿って波打ちした状態となる。その結果、当該端部領域の変形を緩和することができる。
【００２１】
(7)  上記算出部は、シートの上記搬送向きの端部領域を上記幅方向に複数に分割した幅単位領域の各々についてシートに吐出されたインク量を算出するものである。上記判断部は、上記搬送向きの下流端部または上流端部の各幅単位領域のインク量のいずれかが予め設定された最大閾値よりも大きいことを条件として、当該シートを停止させることを決定する。
【００２２】
シートの搬送向きの端部領域の一部に集中して多量のインク滴が吐出されている状態では、シートは当該一部において変形しやすい。本構成によれば、上記状態において、当該シートは、当該一部を含む端部領域の直ぐ上流側において当接部によって押さえられた状態で停止される。これにより、当該シートは、幅方向に沿って波打ちした状態となる。その結果、当該一部を含む端部領域の変形を緩和することができる。
【００２３】
(8)  上記最大閾値は、幅単位領域毎に設定されている。上記幅方向の端部の幅単位領域における上記最大閾値は、上記幅方向の端部以外の幅単位領域における上記最大閾値よりも小さく設定されている。
【００２４】
幅方向の端部以外は、その両端を当接部によって押さえられることが可能である。一方、幅方向の端部は、その幅方向の中央側のみが当接部によって押されられ、端側が当接部によって押さえられない状態となるおそれがある。これにより、幅方向の端部では、端部以外よりも少量のインクによってシートが変形するおそれがある。そこで、本構成では、変形しやすい幅方向の端部の幅単位領域における最大閾値が小さく設定されている。これにより、幅方向の端部におけるシートの変形を緩和することができる。
【００２５】
(9)  上記算出部は、シートの上記搬送向きの端部領域を上記幅方向に複数に分割した幅単位領域の各々についてシートに吐出されたインク量を算出するものである。上記判断部は、隣接する幅単位領域のインク量の差分が予め設定された隣接閾値よりも大きいことを条件として、当該シートを停止させることを決定する。
【００２６】
シートの搬送向きの端部領域における相互に隣接した幅単位領域のインク量の差分が大きい状態では、シートは、当該差分が大きい２つの幅単位領域の境界部において変形しやすい。本構成によれば、上記状態において、当該シートは、当該境界部を含む端部領域の直ぐ上流側において当接部によって押さえられた状態で停止される。これにより、当該シートは、幅方向に沿って波打ちした状態となる。その結果、当該境界部を含む端部領域の変形を緩和することができる。
【００２７】
(10)  上記算出部は、シートの上記搬送向きの端部領域を上記幅方向に複数に分割した幅単位領域の各々についてシートに吐出されたインク量を算出するものである。上記判断部は、各幅単位領域のうちの上記当接部と対向する幅単位領域において最も近い領域同士、または、上記凸部と対向する幅単位領域において最も近い領域同士のインク量の差分が予め設定された近接閾値よりも大きいことを条件として、当該シートを停止させないことを決定する。
【００２８】
各幅単位領域のうちの当接部と対向する位置を含む幅単位領域において最も近い領域同士、または、上記凸部と対向する幅単位領域において最も近い領域同士のインク量の差分が大きい場合にシートを停止させて、当該シートを幅方向に沿って波打ちした状態にすると、差分が大きい２つの幅単位領域の一方において波が大きくなる。すると、シートは、大きくなった波によって変形してしまう。そこで、本構成では、上記差分が大きい場合にシートを停止させないことによって、シートが波打ちした状態となることによる当該シートの変形を防止することができる。
【００２９】
(11)  端部領域は、上記凸部と対向する位置を境界として複数の幅単位領域に分割される。
【００３０】
本構成のように幅単位領域が分割されることによって、インク滴が多量に吐出された幅単位領域がノズルに近づくように変形した場合に、当該変形を適切に緩和することができる。
【００３１】
(12)  端部領域は、上記当接部と対向する位置を境界として複数の幅単位領域に分割される。
【００３２】
本構成のように幅単位領域が分割されることによって、インク滴が多量に吐出された幅単位領域がノズルから遠ざかるように変形した場合に、当該変形を適切に緩和することができる。
【００３３】
(13)  端部領域は、上記幅方向における上記凸部と上記当接部との間の位置と対向する位置を境界として複数の幅単位領域に分割される。
【００３４】
本構成では、幅単位領域が上記（１０）、（１１）よりも細かく分割されている。そのため、本構成では、上記（１０）、（１１）よりも精度よくシートの変形を緩和することができる。
【００３５】
(14)  上記算出部は、シートの上記搬送向きの端部領域を上記搬送向きに複数に分割した搬送単位領域の各々についてシートに吐出されたインク量を算出するものである。上記判断部は、搬送単位領域毎にシートを停止させるか否かを判断する。
【００３６】
本構成によれば、端部領域が複数の搬送単位領域に分割されているため、搬送向きに亘るシートの変形を精度よく緩和することができる。
【発明の効果】
【００３７】
本発明によれば、シートが当接部に押さえられて波打ちした状態となることによって、シートの搬送向きの下流端部の変形が緩和される。その結果、インク滴の浸透に起因するシートの変形によるシート詰まりの発生を低減することができる。
【図面の簡単な説明】
【００３８】
【図１】図１は、複合機１０の外観斜視図である。
【図２】図２は、プリンタ部１１の内部構造を模式的に示す縦断面図である。
【図３】図３は、当接部材８０と搬送ローラ６１と排出ローラ対６６と反転ローラ対４３とプラテン４２との斜視図である。
【図４】図４は、プラテン４２と当接部材８０と記録用紙１９とを示す正面図である。
【図５】図５は、制御部１３０の構成を示すブロック図である。
【図６】図６は、記録用紙１９の記録面に擬似的に形成される幅単位領域９３を示す模式図である。
【図７】図７は、記録制御における記録用紙１９の状態を説明するためのプリンタ部１１の模式的な断面図並びに記録用紙１９及びプラテン４２の模式的な平面図である。
【図８】図８は、変形例４の記録制御における記録用紙１９の状態を説明するためのプリンタ部１１の模式的な断面図並びに記録用紙１９及びプラテン４２の模式的な平面図である。
【図９】図９は、記録制御の処理について説明するためのフローチャートである。
【図１０】図１０は、記録制御の処理について説明するためのフローチャートである。
【図１１】図１１（Ａ）は、第１停止制御判断について説明するためのフローチャートであり、図１１（Ｂ）は、第２停止制御判断について説明するためのフローチャートであり、図１１（Ｃ）は、差分判断について説明するためのフローチャートである。
【図１２】図１２は、記録用紙１９における幅単位領域９３の分割を説明するために記録用紙１９と当接部８３と支持リブ５２とを模式的に示した平面図である。
【図１３】図１３は、変形例１におけるプリンタ部１１の内部構造を模式的に示す縦断面図である。
【発明を実施するための形態】
【００３９】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００４０】
［複合機１０の全体構造］
図１に示されるように、複合機１０は、概ね薄型の直方体に形成されている。複合機１０は、その上部に、記録用紙などの原稿に記録された画像をイメージセンサによって読み取って印刷データを取得するスキャナ部１２を備えている。また、複合機１０は、その下部に、スキャナ部１２によって取得された印刷データや、複合機１０とＬＡＮなどによって接続されたパーソナルコンピュータなどの外部機器から送信されてきた印刷データなどに基づいて、記録用紙１９（本発明のシートの一例、図２参照）に画像を記録するプリンタ部１１（本発明のインクジェット記録装置の一例）を備えている。
【００４１】
プリンタ部１１の正面に形成された開口１３には、記録用紙１９を載置可能な給紙トレイ２０（本発明の載置部の一例、図２参照）が装着されている。給紙トレイ２０は、前後方向８にスライドすることによって、プリンタ部１１に対して挿抜可能である。給紙トレイ２０の前側の上方は、排紙トレイ２１によって覆われている。排紙トレイ２１は、給紙トレイ２０と一体にスライドする。
【００４２】
図２に示されるように、プリンタ部１１は、記録用紙１９を案内する主搬送路２３及び反転搬送路６７と、給紙トレイ２０に載置された記録用紙１９を主搬送路２３へ給送する給紙部１５と、主搬送路２３に設けられており、給紙部１５によって主搬送路２３に給送された記録用紙１９を搬送する搬送ローラ対６３（本発明の第１搬送部の一例）、排出ローラ対６６、及び反転ローラ対４３（本発明の第２搬送部の一例）と、印刷データに基づいて記録用紙１９に画像を記録するインクジェット方式の記録部２４と、経路切替部材４１とを備えている。
【００４３】
［給紙部１５］
図２に示されるように、プリンタ部１１の開口１３（図１参照）に装着された状態の給紙トレイ２０の上側には、給紙部１５が設けられている。給紙部１５は、給紙ローラ２５、給紙アーム２６、及び軸２７を備えている。
【００４４】
給紙ローラ２５は、給紙アーム２６の先端側に回転可能に設けられている。給紙ローラ２５は、給紙用モータ１０２（図５参照）から駆動力を付与されて回転する。なお、給紙ローラ２５は、後述する搬送用モータ１０１から駆動力を付与されて回転してもよい。
【００４５】
給紙アーム２６は、プリンタ部１１のフレームに支持された軸２７に回動可能に設けられている。給紙アーム２６は、自重或いはバネ等による弾性力によって給紙トレイ２０側へ回動付勢されている。給紙ローラ２５は、回転することによって、給紙トレイ２０に載置された記録用紙１９をピックアップして後述する主搬送路２３に給送する。
【００４６】
［主搬送路２３］
図２に示されるように、主搬送路２３は、給紙トレイ２０の後端部を基点として、下方から上方に延びつつＵターンしてから、前向きに延びて記録部２４の下方を通って排紙トレイ２１に至る通路である。主搬送路２３は、所定間隔を隔てて互いに対向する第１ガイド部材３１及び第２ガイド部材３２によって構成される空間である。第１ガイド部材３１は、主搬送路２３の外側を区画する部材である。第２ガイド部材３２は、主搬送路２３の内側を区画する部材である。第１ガイド部材３１及び第２ガイド部材３２は、本発明の主ガイド部の一例である。記録用紙１９は、主搬送路２３を、図２に破線の矢印で示される向き、つまり主搬送路２３に沿った向きである搬送向き１６に搬送される。
【００４７】
［搬送ローラ対６３、排出ローラ対６６、及び反転ローラ対４３］
図２に示されるように、主搬送路２３における記録部２４よりも搬送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。主搬送路２３における記録部２４よりも搬送向き１６の下流側には、排出ローラ６４及び拍車６５よりなる排出ローラ対６６が設けられている。拍車６５は、ばねなどの弾性部材（不図示）によって排出ローラ６４のローラ面に圧接されている。主搬送路２３における排出ローラ対６６よりも搬送向き１６の下流側には、反転ローラ４５及び拍車４６よりなる反転ローラ対４３が設けられている。拍車４６は、ばねなどの弾性部材（不図示）によって反転ローラ４５のローラ面に圧接されている。
【００４８】
搬送ローラ６１、排出ローラ６４、及び反転ローラ４５は、搬送用モータ１０１（図５参照）から駆動力が伝達されることによって正転及び逆転される。各ローラ対は、記録用紙１９を挟持した状態で正転することによって、記録用紙１９を搬送向き１６に搬送し、記録用紙１９を挟持した状態で逆転することによって、記録用紙１９を搬送向き１６と逆向きに搬送する。両面画像記録の際、主搬送路２３を搬送される記録用紙１９は、排出ローラ６４と反転ローラ４５との間でスイッチバックされ、後述する反転搬送路６７へ向けて搬送される。
【００４９】
［プラテン４２］
図２に示されるように、搬送ローラ対６３及び排出ローラ対６６の間における搬送路２３の下側には、プラテン４２（本発明の支持部の一例）が設けられている。プラテン４２は、搬送路２３を搬送される記録用紙１９を下側から支持する部材である。
【００５０】
図３に示されるように、プラテン４２の上面には、上方に突出した複数の支持リブ５２（本発明の凸部の一例）が形成されている。各支持リブ５２は、前後方向８に延びている。各支持リブ５２は、左右方向９（本発明の幅方向の一例）において、相互に所定の間隔を空けて離間されて配置されている。搬送路６５を搬送される記録用紙１９は、プラテン４２によって、詳細にはプラテン４２の上面に形成された各支持リブ５２によって支持される。
【００５１】
［記録部２４］
図２に示されるように、記録部２４は、プラテン４２と対向して搬送路６５の上側に設けられている。記録部２４は、キャリッジ３８と記録ヘッド３７とを備えている。キャリッジ３８は、プリンタ部１１のフレームによって支持されている。キャリッジ３８は、公知のベルト機構（不図示）を介してキャリッジ駆動用モータ１０３（図５参照）と連結されており、キャリッジ駆動用モータ１０３から駆動力が伝達されることによって左右方向９に往復動される。
【００５２】
記録ヘッド３７は、下面に配置された複数個のノズル３６と、サブタンク（不図示）とノズル３６とを繋ぐインク流路（不図示）と、インク流路の一部を変形させることでノズル３６からインク滴を吐出させる圧電素子４４（図５参照）とを備えている。ノズル３６は、プラテン４２に向けてインク滴を吐出する。圧電素子４４は、後述するように、制御部１３０（図５参照）により給電されることで動作する。
【００５３】
各サブタンクには、シアン、マゼンタ、イエロー、ブラックの各色のインクの一つが貯留される。本実施形態においては、シアンのサブタンクに対して複数個のノズル３６からなる第１ノズル列（不図示）が設けられている。第１ノズル列は前後方向８に沿って延びている。第１ノズル列と同様に、マゼンタ、イエロー、ブラックの各サブタンクに対してそれぞれ第２ノズル列、第３ノズル列、第４ノズル列が設けられている。以上より、ノズル３６は、搬送向き１６（前後方向８）に沿って複数配列されている。また、各ノズル列は、左右方向９に並べられている。
【００５４】
記録部２４は、制御部１３０（図５参照）によって制御される。これにより、キャリッジ３８が左右方向９へ往復動するとともに、記録ヘッド３７に設けられた複数のノズル３６からプラテン４２に向けてインク滴が吐出される。その結果、プラテン４２に支持された記録用紙１９に画像が記録される。なお、ノズル３６が記録用紙１９の左右方向９における記録領域の全域に亘って形成されている場合、記録部２４はキャリッジ３８を備えていなくてもよい。
【００５５】
［当接部材８０］
図２〜図４に示されるように、主搬送路２３におけるノズル３６よりも搬送向き１６の上流側には、複数の当接部材８０が設けられている。当接部材８０は、左右方向９において、互いに離間して設けられている。本実施形態では、図３に示されるように、９個の当接部材８０が設けられている。図２及び図３に示されるように、各当接部材８０は、取り付け部８１と、湾曲部８２と、当接部８３とで構成されている。
【００５６】
取り付け部８１は、プリンタ部１１のフレームに取り付けられている。湾曲部８２は、取り付け部８１から前側に延びながら下側に向かって湾曲されている。当接部８３は、概ね平板形状である。当接部８３は、記録ヘッド３７のノズル３６（詳細には複数のノズル３６のうち、最も後側のノズル３６）よりも搬送向き１６の上流側、且つプラテン４２と対向する位置に設けられている。
【００５７】
図４に示されるように、当接部８３の下面８４には、下面８４から下方に向かって突出する当接リブ８５が設けられている。当接リブ８５の下端は、記録ヘッド３７の下面よりも下側に位置しており、プラテン４２に支持された記録用紙１９の画像記録面、つまり記録用紙１９の上面に当接する。これにより、記録用紙１９は、当接部８３によって、下側へ向けて、つまりプラテン４２へ向けて押さえられる。
【００５８】
ここで、各当接部８３は、左右方向９において、プラテン４２に形成された各支持リブ５２の間に設けられている。つまり、当接部８３と支持リブ５２とは互いに対向していない。また、図４に示されるように、各支持リブ５２は、各当接部８３の当接リブ８５の下端よりも上側まで突出されている。つまり、プラテン４２の上端は、当接部８３の下端よりも上方に位置している。以上より、主搬送路２３を搬送されている記録用紙１９は、プラテン４２と当接部８３との間において、前側或いは後側からみて波打った状態となっている。
【００５９】
［検出部１１０］
図２に示されるように、主搬送路２３における搬送ローラ対６３よりも搬送向き１６の上流側には、検出部１１０が設けられている。検出部１１０は、軸１１１と、当該軸１１１を中心に回動可能な検出子１１２と、発光素子及び当該発光素子から発光された光を受光する受光素子を有する光学センサ１１３とを備えている。
【００６０】
検出子１１２の一端は、主搬送路２３に突出している。検出子１１２の一端に外力が加えられていないとき、検出子１１２の他端は光学センサ１１３の発光素子から受光素子に至る光路に進入して、当該光路を通る光を遮断している。このとき、光学センサ１１３から制御部１３０（図５参照）にローレベルの信号が出力される。検出子１１２の一端が記録用紙１９の搬送向き１６の下流端に押されて回転すると、検出子１１２の他端は上記光路から外れて、上記光路に光が通る。このとき、光学センサ１１３から制御部１３０にハイレベルの信号が出力される。制御部１３０は、光学センサ１１３からの信号に基づいて、記録用紙１９の搬送向き１６の下流端及び上流端を検知する。
【００６１】
［ロータリーエンコーダ７３］
図２に示されるように、搬送ローラ６１には、搬送ローラ６１の回転量を検出するロータリーエンコーダ７３が設けられている。ロータリーエンコーダ７３は、搬送ローラ６１の軸３５に設けられて搬送ローラ６１と共に回転するエンコーダディスク７４と光学センサ７５とからなる。エンコーダディスク７４には、光が透過される透過部と光が透過されない非透過部とが円周方向に等ピッチで交互に配置されたパターンが形成されている。エンコーダディスク７４が回転すると、光学センサ７５によって透過部と非透過部とが検出される毎にパルス信号が生成される。生成されたパルス信号は、制御部１３０（図５参照）に出力される。制御部１３０は、当該パルス信号に基づいて、搬送ローラ６１の回転量を算出する。
【００６２】
［経路切替部材４１及び反転搬送路６７］
図２に示されるように、経路切替部材４１が、排出ローラ６４と反転ローラ４５との間に設けられている。経路切替部材４１は、補助ローラ４７、４８、フラップ４９、及び軸８７を備えている。フラップ４９は、軸８７から概ね搬送向き１６に延出されており、軸８７に回動可能に軸支されている。拍車状の補助ローラ４７、４８が、フラップ４９に軸支されている。
【００６３】
フラップ４９は、記録用紙１９を排出トレイ２１に排出可能な排出姿勢（図２に破線で示される姿勢）と、延出端部４９Ａが排出姿勢よりも下方に位置する反転姿勢（図２に実線で示される姿勢）との間で回動する。
【００６４】
フラップ４９は、待機状態においては自重によって反転姿勢であるが、主搬送路２３を搬送される記録用紙１９に持ち上げられると排出姿勢に回動する。以後、フラップ４９（詳細には補助ローラ４７、４８）は、記録用紙１９と当接して記録用紙１９をガイドする。記録用紙１９の搬送向き１６の上流端が補助ローラ４７を通過すると、フラップ４９は、自重によって排出姿勢から反転姿勢に回動する。これにより、記録用紙１９の搬送向き１６の上流端が、下側に移動する。その結果、記録用紙１９の搬送向き１６の上流端は、後述する反転搬送路６７へ向く。この状態において、反転ローラ４５の正転が継続されると、記録用紙１９は搬送向き１６に搬送されて排出トレイ２１に排出される。一方、反転ローラ４５が正転から逆転に切り換えられると、記録用紙１９は、搬送向き１６と逆向きに搬送されて反転搬送路６７に導かれる。
【００６５】
反転搬送路６７は、排出ローラ６４と反転ローラ４５との間の第１位置３９において主搬送路２３から分岐され、搬送ローラ６１よりも搬送向き１６の上流側の第２位置４０において主搬送路２３と合流する経路である。反転搬送路６７は、所定間隔を隔てて互いに対向する第３ガイド部材３３及び第４ガイド部材３４によって構成される空間である。第３ガイド部材３３は、反転搬送路６７の上側を区画する部材である。第４ガイド部材３４は、反転搬送路６７の下側を区画する部材である。第３ガイド部材３３及び第４ガイド部材３４は、本発明の反転ガイド部の一例である。記録用紙１９は、反転搬送路６７を、第１位置３９から第２位置４０の向き（図２において二点鎖線で示される向き）に搬送される。
【００６６】
［制御部１３０］
以下、図５が参照されて、制御部１３０の概略構成が説明される。制御部１３０が後述するフローチャートにしたがって記録制御を行うことによって、本発明が実現される。制御部１３０は、複合機１０の全体動作を制御するものである。制御部１３０は、ＣＰＵ１３１、ＲＯＭ１３２、ＲＡＭ１３３、ＥＥＰＲＯＭ１３４、ＡＳＩＣ１３５、及びこれらを相互に接続する内部バス１３７を備えている。
【００６７】
ＲＯＭ１３２には、ＣＰＵ１３１が記録制御を含む各種動作を制御するためのプログラムなどが格納されている。ＲＡＭ１３３は、ＣＰＵ１３１が上記プログラムを実行する際に用いるデータや信号等を一時的に記録する記憶領域として使用される。また、ＲＡＭ１３３には、後述するインク量情報がデータベースとして蓄積される。ＥＥＰＲＯＭ１３４には、電源オフ後も保持すべき設定やフラグ等が格納される。
【００６８】
ＡＳＩＣ１３５には、搬送用モータ１０１、給紙用モータ１０２、及びキャリッジ駆動用モータ１０３が接続されている。ＡＳＩＣ１３５には、各モータを制御する駆動回路が組み込まれている。ＣＰＵ１３１から所定のモータに応じた駆動回路に各モータを回転させるための駆動信号が入力されると、駆動信号に応じた駆動電流が駆動回路から対応するモータへ出力される。これにより、対応するモータが回転する。つまり、制御部１３０は、各モータ１０１、１０２、１０３を制御する。
【００６９】
また、ＡＳＩＣ１３５には、光学センサ７５から出力されるパルス信号が入力される。制御部１３０は、光学センサ７５からのパルス信号に基づいて、搬送ローラ６１の回転量を算出する。そして、制御部１３０は、搬送ローラ６１の回転量から記録用紙１９の搬送量を算出する。また、ＡＳＩＣ１３５には、光学センサ１１３が接続されている。制御部１３０は、光学センサ１１３からの信号に基づいて、検出部１１０の配置位置における記録用紙１９の搬送向き１６の下流端及び上流端を検知する。
【００７０】
また、ＡＳＩＣ１３５には、圧電素子４４が接続されている。圧電素子４４は、不図示のドライブ回路を介して制御部１３０により給電されることで動作する。制御部１３０は、印刷データに応じて圧電素子４４への給電を制御し、上述した各ノズル列の複数のノズル３６から選択的にインク滴を吐出させる。つまり、制御部１３０は、複数のノズル３６の一部または全部からインク滴を吐出させる。また、制御部１８は、印刷データに応じて圧電素子４４への給電を調整することにより、ノズル３６から吐出されるインク滴の大きさを調整する。つまり、各ノズル３６から吐出されるインク量は、印刷データに応じて決定される。すなわち、制御部１３０は、記録部２４に、印刷データに基づいて記録用紙１９に画像を記録させる。
【００７１】
［インク量の算出］
制御部１３０は、後述する記録制御の印刷処理（Ｓ４０、Ｓ１２０、Ｓ２５０、Ｓ３３０、図９及び図１０参照）において、シートに吐出されたインク量を印刷データに基づいて算出する。制御部１３０がインク量を算出する処理は、本発明の算出部の一例である。制御部１３０は、算出したインク量をＲＡＭ１３３に記憶する。
【００７２】
インク量の算出は、例えば、以下のようにして行われる。制御部１３０は、印刷データを参照することによって、画像記録の際に記録用紙１９に向けて吐出されたインク滴の種類（例えば、モノクロ印刷の場合はブラックの１種類、カラー印刷の場合はシアン、マゼンタ、イエロー、ブラックの少なくとも１種類、つまり１〜４種類である。）と各種インク滴の吐出回数（濃度が大きい程、吐出回数が多くなる。）とを決定する。制御部１３０は、４種のインク滴のそれぞれについて吐出回数を乗じた値を算出し、次に算出した４つの値を合算する。これにより、記録用紙１９に吐出されるインク量が算出される。
【００７３】
制御部１３０は、以下に詳述するように、画像記録の際に記録用紙１９の端部領域９０（図６参照）に向けて吐出されたインク量を算出可能である。ここで、端部領域９０は、図６に示されるように、記録用紙１９における搬送向き１６の下流端領域９１及び上流端領域９２である。下流端領域９１は、記録用紙１９の左右方向９における左端から右端までの範囲、及び記録用紙１９の前後方向８における搬送向き１６の下流端から搬送向き１６と逆向きに所定長Ｌ１までの範囲に囲まれた領域である。また、上流端領域９２は、記録用紙１９の左右方向９における左端から右端までの範囲、及び記録用紙１９の前後方向８における搬送向き１６の上流端から搬送向き１６に所定長Ｌ２までの範囲に囲まれた領域である。
【００７４】
また、本実施形態において、制御部１３０は、下流端領域９１及び上流端領域９２の各々を複数に分割した幅単位領域９３毎に、インク量を算出する。ここで、幅単位領域９３は、下流端領域９１及び上流端領域９２の各々を左右方向９に分割した領域である。また、本実施形態において、幅単位領域９３は、図１２（Ａ）に示されるように、左右方向９において支持リブ５２と当接部８３との間の位置と対向する位置を境界として複数の幅単位領域９３に分割されている。なお、各幅単位領域９３の大きさは、同一であってもよいし、同一でなくてもよい。本実施形態では、左右方向９の両端の幅単位領域９３は、左右方向９の両端以外の幅単位領域９３よりも小さい。
【００７５】
［記録制御］
上述の如く構成されたプリンタ部１１においては、制御部１３０によって、記録用紙１９が給送されて、給送された記録用紙１９に印刷データに係る画像が記録される一連の記録制御が実行される。以下、図９及び図１０のフローチャートに基づいて、記録制御の処理が説明される。
【００７６】
複合機１０の操作部１７（図１参照）や複合機１０と接続された外部機器などから、記録用紙１５への印刷指示が制御部１３０に送られると（Ｓ１０）、制御部１３０は、給紙ローラ２５に、給紙トレイ２０に載置された記録用紙１９を搬送路２３に給送させる（Ｓ２０）。次に、制御部１３０は、搬送ローラ６１を正転させて、搬送ローラ対６３に、当該記録用紙１９の搬送向き１６の下流端が記録部２４と対向する印刷開始位置に到達するまで、当該記録用紙１９を搬送向き１６に搬送させる（Ｓ３０）。ここで、印刷開始位置とは、記録用紙１９における画像記録領域の搬送向き１６の下流端が、複数のノズル３６のうち搬送向き１６の上流端に位置するノズル３６と対向する位置である。ステップＳ３０が実行されることによって、第１面（表面）が印刷される記録用紙１９のいわゆる頭出し処理が完了する。なお、制御部１３０は、光学センサ１１３及び光学センサ７５からの信号に基づいて、つまり記録用紙１９の先端が検知部１１０によって検知されたタイミングからの記録用紙１９の搬送量に基づいて、第１面の印刷に係る記録用紙１９の頭出し処理を実行する。
【００７７】
次に、制御部１３０は、以下に詳述するように、記録用紙１９の第１面（表面）に画像を記録する一連の処理を実行する（Ｓ４０〜Ｓ１６０）。当該一連の処理は、全ての印刷データに係る画像を記録用紙１９に記録するまで（Ｓ１６０：Ｎｏ）、繰り返し実行される。
【００７８】
本実施形態において、当該一連の処理は、記録用紙１９の搬送向き１６の下流部に対する画像の記録（Ｓ４０〜Ｓ８０）、記録用紙１９の搬送向き１６の中間部に対する画像の記録（Ｓ９０〜Ｓ１１０）、記録用紙１９の搬送向き１６の上流部に対する画像の記録（Ｓ１２０〜Ｓ１６０）に分けられる。ここで、記録用紙１９の搬送向き１６の下流部とは、記録用紙１９の下流端領域９１（図６参照）である。また、記録用紙１９の搬送向き１６の上流部とは、記録用紙１９の上流端領域９２（図６参照）である。また、記録用紙１９の搬送向き１６の中間部とは、記録用紙１９における下流端領域９１と上流端領域９２とを除く中間領域９４（図６参照）である。
【００７９】
制御部１３０は、記録用紙１９の搬送向き１６の下流部に画像を記録する際、搬送用モータ１０１を制御して、搬送ローラ対６３及び排出ローラ対６６に所定改行分の記録用紙１９の搬送及び停止を交互に繰り返す間欠搬送を実行させる（Ｓ７０）。制御部１３０は、間欠搬送において記録用紙１９の搬送が停止されている間に、キャリッジ３８を主走査方向（左右方向９）に移動させながら、圧電素子４４への給電を制御して、ノズル３６からインク滴を吐出させる（Ｓ４０）。詳細には、制御部１３０は、キャリッジ３８を主走査方向（左右方向９）に印刷範囲の端から端まで移動させる１回のパスの間に、ノズル３６からインク滴を吐出させる。制御部１３０は、記録用紙１９の間欠搬送（Ｓ７０）と記録用紙１９へ印刷（Ｓ４０）とを、下流端領域９１に記録する画像に係る印刷データがなくなるまで（Ｓ８０：Ｎｏ）、交互に繰り返す。制御部１３０は、記録用紙１９へ印刷（Ｓ４０）と記録用紙１９の搬送（Ｓ７０）との間に、後述する第１停止制御判断（Ｓ５０）及び第１停止制御（Ｓ６０）を実行する。
【００８０】
制御部１３０は、記録用紙１９の搬送向き１６の中間部に画像を記録する際も、記録用紙１９の搬送向き１６の下流部に画像を記録する際と同様に、記録用紙１９の間欠搬送（Ｓ１００）及び記録用紙１９へ印刷（Ｓ９０）とを、中間領域９４に記録する画像に係る印刷データがなくなるまで（Ｓ１１０：Ｎｏ）、交互に繰り返す。但し、制御部１３０は、記録用紙１９の搬送向き１６の中間部に画像を記録する際、記録用紙１９の搬送向き１６の下流部に画像を記録する際とは異なり、第１停止制御判断及び第１停止制御を実行しない。
【００８１】
制御部１３０は、記録用紙１９の搬送向き１６の上流部に画像を記録する際も、記録用紙１９の搬送向き１６の下流部に画像を記録する際と同様に、記録用紙１９の間欠搬送（Ｓ１５０）及び記録用紙１９へ印刷（Ｓ１２０）とを、上流端領域９２に記録する画像に係る印刷データがなくなるまで（Ｓ１６０：Ｎｏ）、交互に繰り返す。また、制御部１３０は、記録用紙１９の搬送向き１６の上流部に画像を記録する際、記録用紙１９の搬送向き１６の下流部に画像を記録する際と同様に、後述する第１停止制御判断（Ｓ１３０）及び第１停止制御（Ｓ１４０）を実行する。
【００８２】
制御部１３０は、記録用紙１９の上流端領域９２に記録する画像に係る印刷データがなくなると（Ｓ１６０：Ｎｏ）、つまり記録用紙１９の第１面への画像の記録が終了すると、排出ローラ６４及び反転ローラ４５を正転させて、排出ローラ対６６及び反転ローラ対４３に、当該記録用紙１９をスイッチバック位置まで搬送させる（Ｓ１７０）。ここで、スイッチバック位置は、記録用紙１９の搬送向き１６の上流端が補助ローラ４７を通過し且つ補助ローラ４８を通過していない位置である。
【００８３】
制御部１３０は、記録用紙１９がスイッチバック位置に到達すると、反転ローラ４５を正転から逆転に切り替える。これにより、記録用紙１９は、搬送向き１６と逆向きに搬送されて反転搬送路６７に導かれる。つまり、記録用紙１９は、スイッチバック搬送される（Ｓ１８０）。その後、記録用紙１９は、反転搬送路６７に設けられた不図示のローラ対によって、反転搬送路６７を搬送され、第２位置４０を経て再び主搬送路２３を搬送される。そして、記録用紙１９は、検知部１１０によって検知される（Ｓ１９０）。
【００８４】
制御部１３０は、後述する第２停止制御（Ｓ２２０）を実行するか否かを判断する後述する第２停止制御判断（Ｓ２００）を実行する。制御部１３０は、第２停止制御を実行すると判断した場合（Ｓ２００：Ｙｅｓ）、記録用紙１９の搬送向き１６の下流端が第２停止制御位置に到達するまで、当該記録用紙１９を搬送向き１６に搬送させる（Ｓ２１０）。ここで、第２停止制御位置とは、記録用紙１９の搬送向き１６の下流端が、当接部８３と対向する位置、つまり当接部８３と当接する位置である。本実施形態において、第２停止制御位置は、図７（Ｅ）に示される位置、つまり記録用紙１９の搬送向き１６の下流端が当接部８３の突出先端部と当接する位置である。なお、制御部１３０は、光学センサ１１３及び光学センサ７５からの信号に基づいて、つまり記録用紙１９の先端が検知部１１０によって検知されたタイミングからの記録用紙１９の搬送量に基づいて、第２面（裏面）の印刷に係る記録用紙１９の第２停止制御位置への搬送（Ｓ２１０）、及び後述する印刷開始位置への搬送（Ｓ２３０、Ｓ２４０）を実行する。
【００８５】
一方、制御部１３０は、第２停止制御を実行しないと判断した場合（Ｓ２００：Ｎｏ）、記録用紙１９の搬送向き１６の下流端が印刷開始位置に到達するまで、当該記録用紙１９を搬送向き１６に搬送させる（Ｓ２４０）。ステップＳ２４０が実行されることによって、第２面が印刷される記録用紙１９のいわゆる頭出し処理が完了する。
【００８６】
次に、制御部１３０は、記録用紙１９の第２面（裏面）に画像を記録する一連の処理を実行する（Ｓ２５０〜Ｓ３７０）。当該一連の処理は、記録用紙１９の第１面（表面）に画像を記録する一連の処理と同様の処理である。つまり、ステップＳ２５０〜Ｓ３７０の各処理は、Ｓ４０〜Ｓ１６０の各処理と対応している。
【００８７】
制御部１３０は、記録用紙１９の上流端領域９２に記録する画像に係る印刷データがなくなると（Ｓ３７０：Ｎｏ）、つまり記録用紙１９の第２面への画像の記録が終了すると、排出ローラ６４及び反転ローラ４５を正転させて、排出ローラ対６６及び反転ローラ対４３に、当該記録用紙１９を排紙トレイ２１まで搬送させる（Ｓ３８０）。つまり、制御部１３０は、記録用紙１９を排出する処理を実行する。
【００８８】
［第１停止制御判断及び第１停止制御］
以下、図７及び図１１（Ａ）のフローチャートに基づいて、第１停止制御判断及び第１停止制御の処理が説明される。
【００８９】
第１停止制御判断では、図９及び図１０のステップＳ５０、Ｓ１３０、Ｓ２６０、Ｓ３４０において、以下に詳述するステップＳ６００〜Ｓ６３０が実行される。
【００９０】
まず、ステップＳ５０、Ｓ２６０における第１停止制御判断、つまり第１面及び第２面における記録用紙１９の搬送向き１６の下流端領域９１に対する第１停止制御判断が説明される。制御部１３０は、直前のステップ（ステップＳ４０、Ｓ２５０における記録用紙１９の下流端領域９１に対する印刷処理）において、幅単位領域９３毎に算出してＲＡＭ１３３に記憶したインク量を、ＲＡＭ１３３から読み出す（Ｓ６００）。
【００９１】
制御部１３０は、下流端領域９１を構成する幅単位領域９３のインク量の平均値を算出する。そして、制御部１３０は、算出した平均値を、予め設定された平均閾値α１と比較する（Ｓ６１０）。当該平均値が平均閾値α１よりも大きい場合（Ｓ６１０：Ｙｅｓ）、第１停止制御（図９のＳ６０及び図１０のＳ２７０）が実行される。
【００９２】
ここで、第１停止制御は、制御部１３０によって実行される制御であって、予め設定された時間だけ、記録用紙１９が停止される制御である。また、ステップＳ６０における第１停止制御においては、記録用紙１９は、図７（Ａ）、（Ｂ）に示されるように、制御部１３０によって、下流端領域９１がノズル３６及び当接部８３と対向した状態で停止される。また、ステップＳ２７０における第１停止制御においては、記録用紙１９は、図７（Ｇ）、（Ｈ）に示されるように、制御部１３０によって、下流端領域９１がノズル３６及び当接部８３と対向した状態で停止される。詳細には、停止された記録用紙１９の下流端を含む下流端領域９１が、ノズル３６と対向しており、停止された記録用紙１９の下流端を含まない下流端領域９１、換言するとノズル３６と対向した下流端領域９１よりも搬送向き１６の上流側の下流端領域９１が、当接部８３と対向している。
【００９３】
当該平均値が平均閾値α１以下の場合（Ｓ６１０：Ｎｏ）、制御部１３０は、下流端領域９１を構成する各幅単位領域９３のインク量のうちの最大値を、予め設定された最大閾値β１と比較する（Ｓ６２０）。当該最大値が最大閾値β１よりも大きい場合（Ｓ６２０：Ｙｅｓ）、第１停止制御（図９のＳ６０及び図１０のＳ２７０）が実行される。
【００９４】
当該最大値が最大閾値β１以下の場合（Ｓ６２０：Ｎｏ）、制御部１３０は、以下で説明する差分判断（Ｓ６３０）を実行する。制御部１３０が差分判断において停止制御を行う必要があると判断した場合（Ｓ６３０：Ｙｅｓ）、第１停止制御（図９のＳ６０及び図１０のＳ２７０）が実行される。一方、制御部１３０が差分判断において停止制御を行う必要がないと判断した場合（Ｓ６３０：Ｎｏ）、記録用紙１９の間欠搬送に係る搬送（図９のＳ７０及び図１０のＳ２８０）が実行される。
【００９５】
以下、図１１（Ｃ）のフローチャートに基づいて、差分判断の処理が説明される。制御部１３０は、下流端領域９１を構成する各幅単位領域９３について、左右方向９に隣接する幅単位領域９３同士の差分値を算出する（Ｓ８１０）。例えば、制御部１３０は、図１２（Ａ）における幅単位領域９３Ｅについて、右側において隣接する幅単位領域９３Ｆとの差分値と、左側において隣接する幅単位領域９３Ｄとの差分値とを算出する。本実施形態において、ステップＳ８１０では、当接部８３及び支持リブ５２によって形成される波打った状態の記録用紙１９の山部分と谷部分とに対応する幅単位領域９３の差分値が算出される。
【００９６】
また、制御部１３０は、下流端領域９１を構成する幅単位領域９３のうち、当接部８３と対向する各幅単位領域９３について、右側において最も近い幅単位領域９３との差分値と、左側において最も近い幅単位領域９３との差分値とを算出する（Ｓ８２０）。例えば、制御部１３０は、図１２（Ａ）における幅単位領域９３Ｅについて、右側において最も近い幅単位領域９３Ｇとの差分値と、左側において最も近い幅単位領域９３Ｃとの差分値とを算出する。
【００９７】
また、制御部１３０は、下流端領域９１を構成する幅単位領域９３のうち、支持リブ５２と対向する各幅単位領域９３について、右側において最も近い幅単位領域９３との差分値と、左側において最も近い幅単位領域９３との差分値とを算出する（Ｓ８３０）。例えば、制御部１３０は、図１２（Ａ）における幅単位領域９３Ｄについて、右側において最も近い幅単位領域９３Ｆとの差分値と、左側において最も近い幅単位領域９３Ｂとの差分値とを算出する。
【００９８】
そして、制御部１３０は、ステップＳ８１０において算出した各差分値を予め設定された隣接閾値γ１と比較し、ステップＳ８２０において算出した各差分値を予め設定された第１近接閾値γ２（本発明の近接閾値の一例）と比較し、ステップＳ８３０において算出した各差分値を予め設定された第２近接閾値γ３（本発明の近接閾値の一例）と比較する。
【００９９】
そして、上記比較の結果、隣接閾値γ１と比較された差分値のうちの少なくとも１つが隣接閾値γ１よりも大きい場合、制御部１３０は、停止制御を行う必要があると判断し（Ｓ６３０：Ｙｅｓ）、第１停止制御（図９のＳ６０及び図１０のＳ２７０）を実行する。一方、上記比較の結果、隣接閾値γ１と比較された差分値のうちの少なくとも１つが隣接閾値γ１以下の場合、制御部１３０は、停止制御を行う必要がないと判断し（Ｓ６３０：Ｎｏ）、記録用紙１９の間欠搬送に係る搬送（図９のＳ７０及び図１０のＳ２８０）を実行する。
【０１００】
また、上記比較の結果、第１近接閾値γ２と比較された差分値のうちの少なくとも１つが第１近接閾値γ２よりも大きい場合、或いは、第２近接閾値γ３と比較された差分値のうちの少なくとも１つが第２近接閾値γ３よりも大きい場合、制御部１３０は、停止制御を実行するべきでないと判断し（Ｓ６３０：Ｎｏ）、記録用紙１９の間欠搬送に係る搬送（図９のＳ７０及び図１０のＳ２８０）を実行する。
【０１０１】
以上より、制御部１３０は、第１面及び第２面における記録用紙１９の搬送向き１６の下流端領域９１のインク量に基づいて、当該記録用紙１９を、当該下流端領域９１がノズル３６及び当接部８３と対向した状態で停止させるか否かを判断する。
【０１０２】
次に、ステップＳ１３０、Ｓ３４０における第１停止制御、つまり第１面及び第２面における記録用紙１９の搬送向き１６の上流端領域９２に対する第１停止制御判断が説明される。制御部１３０は、直前のステップ（ステップＳ１２０、Ｓ３３０における記録用紙１９の上流端領域９２に対する印刷処理）において、幅単位領域９３毎に算出してＲＡＭ１３３に記憶したインク量を、ＲＡＭ１３３から読み出す（Ｓ６００）。
【０１０３】
制御部１３０は、上流端領域９２を構成する幅単位領域９３のインク量の平均値を算出する。そして、制御部１３０は、算出した平均値を、平均閾値α１と比較する（Ｓ６１０）。当該平均値が平均閾値α１よりも大きい場合（Ｓ６１０：Ｙｅｓ）、第１停止制御（図９のＳ１４０及び図１０のＳ３５０）が実行される。
【０１０４】
ここで、ステップＳ１３０、Ｓ３４０の第１停止制御においては、記録用紙１９は、図７（Ｃ）、（Ｄ）に示されるように、制御部１３０によって、上流端領域９２がノズル３６及び当接部８３と対向した状態で停止される。詳細には、停止された記録用紙１９の上流端を含む上流端領域９２が、当接部８３と対向しており、停止された記録用紙１９の上流端を含まない上流端領域９２、換言すると当接部８３と対向した上流端領域９２よりも搬送向き１６の下流側の上流端領域９２が、ノズル３６と対向している。
【０１０５】
当該平均値が平均閾値α１以下の場合（Ｓ６１０：Ｎｏ）、制御部１３０は、上流端領域９２を構成する各幅単位領域９３のインク量のうちの最大値を、最大閾値β１と比較する（Ｓ６２０）。当該最大値が最大閾値β２よりも大きい場合（Ｓ６２０：Ｙｅｓ）、第１停止制御（図９のＳ１４０及び図１０のＳ３５０）が実行される。
【０１０６】
当該平均値が最大閾値β１以下の場合（Ｓ６２０：Ｎｏ）、制御部１３０は、上述した差分判断（Ｓ６３０）を実行する。なお、ステップＳ１３０、Ｓ３４０の第１停止制御判断における差分判断は、以下の点が上述した差分判断と異なる。つまり、ステップＳ７３０においては、制御部１３０は、下流端領域９１ではなく、上流端領域９２を構成する各幅単位領域９３について差分値を算出して、各閾値と比較する。
【０１０７】
制御部１３０は、差分判断において停止制御を行う必要があると判断した場合（Ｓ７３０：Ｙｅｓ）、第１停止制御（図９のＳ１４０及び図１０のＳ３５０）を実行する。一方、制御部１３０は、差分判断において停止制御を行う必要がないと判断した場合（Ｓ７３０：Ｎｏ）、記録用紙１９の間欠搬送に係る搬送（図９のＳ１４０及び図１０のＳ３５０）を実行する。
【０１０８】
以上より、制御部１３０は、第１面及び第２面における記録用紙１９の搬送向き１６の上流端領域９２のインク量に基づいて、当該記録用紙１９を、当該上流端領域９２がノズル３６及び当接部８３と対向した状態で停止させるか否かを判断する。
【０１０９】
以上より、第１停止制御判断は、本発明の判断部の一例である。また、第１停止制御は、本発明の停止部の一例である。
【０１１０】
［第２停止制御判断及び第２停止制御］
以下、図７及び図１１（Ｂ）のフローチャートに基づいて、第２停止制御判断の処理が説明される。
【０１１１】
第２停止制御判断では、図１０のステップＳ２００において、以下に詳述するステップＳ７００〜Ｓ７３０が実行される。
【０１１２】
図７（Ｅ）に示されるように、記録用紙１９が第２停止制御位置で停止している際、記録用紙１９の第２面（裏面）の下流端領域９１（詳細には下流端領域９１の下流端側の部分）が当接部８３と対向している。このような状態において、制御部１３０は、当該下流端領域９１の裏側の領域、つまり記録用紙１９の第１面（表面）の上流端領域９２の各幅単位領域９３のインク量を、ＲＡＭ１３３から読み出す（Ｓ７００）。
【０１１３】
制御部１３０は、下流端領域９１を構成する幅単位領域９３のインク量の平均値を算出する。そして、制御部１３０は、算出した平均値を、予め設定された平均閾値α２と比較する（Ｓ７１０）。当該平均値が平均閾値α２よりも大きい場合（Ｓ７１０：Ｙｅｓ）、以下に説明するステップＳ２１０〜Ｓ２３０の処理が実行される。
【０１１４】
ステップＳ２１０において、制御部１３０は、記録用紙１９の搬送向き１６の下流端が第２停止制御位置に到達するまで、当該記録用紙１９を搬送向き１６に搬送させる。ステップ２２０において、制御部１３０は、第２停止制御を実行する。ここで、第２停止制御は、制御部１３０によって実行される制御であって、予め設定された時間だけ、記録用紙１９が停止される制御である。第２停止制御においては、記録用紙１９は、図７（Ｅ）、（Ｆ）に示されるように、制御部１３０によって、下流端領域９１が当接部８３と対向した状態で停止される。ステップＳ２３０において、制御部１３０は、第２停止制御位置から印刷開始位置までの搬送路２３に沿った距離を算出する。そして、ステップＳ２４０において、制御部１３０は、ステップＳ２３０において算出した距離だけ、記録用紙１９を搬送させる。
【０１１５】
ステップＳ７１０において算出した平均値が平均閾値α２以下の場合（Ｓ７１０：Ｎｏ）、制御部１３０は、下流端領域９１を構成する各幅単位領域９３のインク量のうちの最大値を、予め設定された最大閾値β２と比較する（Ｓ７２０）。当該最大値が最大閾値β２よりも大きい場合（Ｓ７２０：Ｙｅｓ）、上述したステップＳ２１０〜Ｓ２３０の処理が実行される。
【０１１６】
当該平均値が最大閾値β２以下の場合（Ｓ７２０：Ｎｏ）、制御部１３０は、差分判断（Ｓ７３０）を実行する。なお、ステップＳ７３０の差分判断では、ステップＳ５０、Ｓ２６０の第１停止制御判断における差分判断と同様の処理が実行される。
【０１１７】
制御部１３０は、差分判断において停止制御を行う必要があると判断した場合（Ｓ７３０：Ｙｅｓ）、上述したステップＳ２１０〜Ｓ２３０の処理を実行する。一方、制御部１３０は、差分判断において停止制御を行う必要がないと判断した場合（Ｓ７３０：Ｎｏ）、記録用紙１９の間欠搬送に係る搬送（図１０のＳ２４０）を実行する。
【０１１８】
以上より、制御部１３０は、給紙トレイ２０から主搬送路２３へ搬送されて第１面に画像を記録された記録用紙１９の搬送向き１６の上流端領域９２のインク量に基づいて、反転搬送路６７から第２位置４０を経て主搬送路２３へ搬送されて第２面に画像を記録される記録用紙１９を、当該記録用紙１９の搬送向き１６の下流端部が当接部８３と対向された状態で停止させるか否かを判断する。
【０１１９】
以上より、第２停止制御判断は、本発明の判断部の一例である。また、第２停止制御は、本発明の停止部の一例である。
【０１２０】
［実施形態の効果］
本実施形態によれば、給紙トレイ２０から主搬送路２３へ給送されて第１面（表面）に画像記録された記録用紙１９は、反転ローラ対６７によって第１面の画像記録時の搬送向き１６の上流端を先頭として、反転搬送路６７を第１位置３９から第２位置４０へ向けて搬送され、再び主搬送路２３を記録部２４と対向する位置に向けて搬送される。記録用紙１９が再び記録部２４と対向した状態においてノズル３６からインク滴が吐出されることによって、記録用紙１９の第２面（裏面）に画像が記録される。そして、記録用紙１９の第２面への画像記録時と記録用紙１９の第１面への画像記録時とでは、記録用紙１９の搬送向き１６における下流端と上流端とが逆となっている。つまり、記録用紙１９の第２面への画像記録時における記録用紙１９の搬送向き１６の下流端の裏側は、記録用紙１９の第１面への画像記録時における記録用紙１９の搬送向き１６の上流端となっている。
【０１２１】
そして、本実施形態では、例えば、記録用紙１９が反転搬送路６７から第２位置４０を経て再び主搬送路２３へ搬送された状態において、当該記録用紙１９に対する第１面の画像記録時の搬送向き１６の上流端部のインク量が多かった場合に、当該記録用紙１９は、搬送向き１６の下流端部（つまりインク量が多かった上記上流端部の裏側）が当接部８３と当接された状態で停止される。ここで、記録用紙１９の搬送向き１６の下流端部は、支持リブ５２に支持された状態で当接部８３に押さえられることによって、左右方向９に沿って波打ちした状態となる。そして、記録用紙１９が波打ちした状態となることによって、多量のインクの付着による記録用紙１９の搬送向き１６の下流端部の変形が緩和される。その結果、インク滴の浸透に起因する記録用紙１９の変形による用紙詰まりの発生を低減することができる。
【０１２２】
また、本実施形態によれば、記録用紙１９の搬送向き１６の下流端領域９１に多量のインク滴が吐出されている状態において、当該記録用紙１９は、当該下流端領域９１の直ぐ上流側において当接部８３によって押さえられている。これにより、当該記録用紙１９は、左右方向９に沿って波打ちした状態となる。その結果、多量のインク滴の吐出による当該下流端領域９１の変形を緩和することができる。
【０１２３】
また、本実施形態によれば、記録用紙１９の搬送向き１６の上流端領域９２に多量のインク滴が吐出されている状態において、当該記録用紙１９は、当該上流端領域９２の直ぐ上流側において当接部８３によって押さえられている。これにより、当該記録用紙１９は、左右方向９に沿って波打ちした状態となる。その結果、多量のインク滴の吐出による当該上流端領域９２の変形を緩和することができる。
【０１２４】
また、記録用紙１９の搬送向き１６の端部領域９０に平均して多量のインク滴が吐出されている状態では、記録用紙１９は当該端部領域９０において変形しやすい。本実施形態によれば、上記状態において、当該記録用紙１９は、当該端部領域９０の直ぐ上流側において当接部８３によって押さえられている。これにより、当該記録用紙１９は、左右方向９に沿って波打ちした状態となる。その結果、当該端部領域９０の変形を緩和することができる。
【０１２５】
また、記録用紙１９の搬送向き１６の端部領域９０の一部に集中して多量のインク滴が吐出されている状態では、記録用紙１９は当該一部において変形しやすい。本実施形態によれば、上記状態において、当該記録用紙１９は、当該一部を含む端部領域９０の直ぐ上流側において当接部８３によって押さえられている。これにより、当該記録用紙１９は、左右方向９に沿って波打ちした状態となる。その結果、当該一部を含む端部領域９０の変形を緩和することができる。
【０１２６】
また、記録用紙１９の搬送向き１６の端部領域９０における相互に隣接した幅単位領域９３のインク量の差分が大きい状態では、記録用紙１９は、当該差分が大きい２つの幅単位領域９３の境界部において変形しやすい。本実施形態によれば、上記状態において、当該記録用紙１９は、当該境界部を含む端部領域９０の直ぐ上流側において当接部８３によって押さえられている。これにより、当該記録用紙１９は、左右方向９に沿って波打ちした状態となる。その結果、当該境界部を含む端部領域９０の変形を緩和することができる。
【０１２７】
また、各幅単位領域９３のうちの当接部９３と対向する位置を含む幅単位領域９３において最も近い領域同士のインク量の差分が大きい場合に記録用紙１９を停止させて、当該記録用紙１９を左右方向９に沿って波打ちした状態にすると、差分が大きい２つの幅単位領域９３の一方において波が大きくなる。すると、記録用紙１９は、大きくなった波によって変形してしまう。そこで、上述の実施形態では、上記差分が大きい場合に記録用紙１９を停止させないことによって、記録用紙１９が波打ちした状態となることによる当該記録用紙１９の変形を防止することができる。
【０１２８】
本構成では、幅単位領域９３が後述する図１２（Ｂ）、（Ｃ）よりも細かく分割されている。そのため、本構成では、精度よく記録用紙１９の変形を緩和することができる。
【０１２９】
［実施形態の変形例１］
上述の実施形態では、複合機１０は、両面画像記録可能に構成されていた。しかし、複合機１０は、図１３に示されるように、片面画像記録のみ可能に構成されていてもよい。変形例１の複合機１０は、両面画像記録に必要な構成である経路切替部材４１と、反転搬送路６７を構成する第３ガイド部材３３及び第４ガイド部材３４と、反転ローラ対４３とを有していない。
【０１３０】
変形例１では、上述の実施形態の図９及び図１０のフローチャートにおいて、両面画像記録が前提であるステップＳ１７０〜Ｓ３７０の処理が実行されない。また、変形例１では、搬送ローラ対６３が本発明の搬送部の一例である。
【０１３１】
変形例１によれば、記録用紙１９の片面にのみ画像を記録する複合機１０においても、上述の実施形態と同様の作用効果を奏することができる。
【０１３２】
［実施形態の変形例２］
上述の実施形態では、幅単位領域９３は、図１２（Ａ）に示されるように、左右方向９において支持リブ５２と当接部８３との間の位置と対向する位置を境界として複数の幅単位領域に分割されていた。しかし、幅単位領域９３は、図１２（Ｂ）に示されるように、支持リブ５２と対向する位置を境界として複数の幅単位領域９３に分割されていてもよい。
【０１３３】
変形例２では、上述の実施形態の図１１（Ｃ）のフローチャートにおいて、ステップＳ８１０とステップＳ８２０とは同一処理となる。よって、ステップＳ８１０とステップＳ８２０とは１つの処理に統合される。
【０１３４】
変形例２のように幅単位領域９３が分割されることによって、インク滴が多量に吐出された幅単位領域９３がノズル３６に近づくように変形した場合に、当該変形を適切に緩和することができる。
【０１３５】
［実施形態の変形例３］
上述の実施形態では、幅単位領域９３は、図１２（Ａ）に示されるように、左右方向９において支持リブ５２と当接部８３との間の位置と対向する位置を境界として複数の幅単位領域に分割されていた。しかし、幅単位領域９３は、図１２（Ｃ）に示されるように、当接部８３と対向する位置を境界として複数の幅単位領域９３に分割されていてもよい。
【０１３６】
変形例３では、上述の実施形態の図１１（Ｃ）のフローチャートにおいて、ステップＳ８１０とステップＳ８３０とは同一処理となる。よって、ステップＳ８１０とステップＳ８３０とは１つの処理に統合される。
【０１３７】
変形例３のように幅単位領域９３が分割されることによって、インク滴が多量に吐出された幅単位領域９３がノズル３６から遠ざかるように変形した場合に、当該変形を適切に緩和することができる。
【０１３８】
［実施形態の変形例４］
上述の実施形態では、記録用紙１９における下流端領域９１及び上流端領域９２は、図６、図７、及び図１２に示されるように、搬送向き１６において１つずつ設定されていた。しかし、記録用紙１９における下流端領域９１及び上流端領域９２は、搬送向き１６において複数設定されていてもよい。例えば、記録用紙１９における下流端領域９１は、図８（Ｂ）、（Ｄ）に示されるように、第１下流端領域９１Ａと、第２下流端領域９１Ｂとで構成されていてもよい。また、記録用紙１９における上流端領域９２は、図８（Ｆ）、（Ｈ）に示されるように、第１上流端領域９２Ａと、第２上流端領域９２Ｂとで構成されていてもよい。
【０１３９】
変形例４では、第１停止制御判断及び第２停止制御判断並びに第１停止制御及び第２停止制御は、搬送向き１６における下流端領域９１及び上流端領域９２毎に実行される。
【０１４０】
例えば、ステップＳ５０の第１停止制御判断及びステップＳ６０の第１停止制御は、記録用紙１９の第１下流端領域９１Ａがノズル３６及び当接部８３と対向した状態で停止される状態（図８（Ａ）、（Ｂ）参照）、及び記録用紙１９の第２下流端領域９１Ｂがノズル３６及び当接部８３と対向した状態で停止される状態（図８（Ｃ）、（Ｄ）参照）のそれぞれにおいて実行される。また、例えば、ステップＳ１３０の第１停止制御判断及びステップＳ１４０の第１停止制御は、記録用紙１９の第１上流端領域９２Ａがノズル３６及び当接部８３と対向した状態で停止される状態（図８（Ｅ）、（Ｆ）参照）、及び記録用紙１９の第２上流端領域９２Ｂがノズル３６及び当接部８３と対向した状態で停止される状態（図８（Ｇ）、（Ｈ）参照）のそれぞれにおいて実行される。
【０１４１】
変形例４において、搬送向き１６において複数設定された下流端領域９１及び上流端領域９２（例として示した第１下流端領域９１Ａ及び第２下流端領域９１Ｂ並びに第１上流端領域９２Ａ及び第２上流端領域９２Ｂ）は、本発明の搬送単位領域の一例である。
【０１４２】
変形例４によれば、端部領域９０が複数の搬送単位領域に分割されているため、搬送向き１６に亘る記録用紙１９の変形を精度よく緩和することができる。
【０１４３】
［実施形態の変形例５］
上述の実施形態においては、ステップＳ６１０〜Ｓ６３０、Ｓ７１０〜Ｓ７３０が全て実行されていた。しかし、これらのステップは、ステップＳ６１０〜Ｓ６３０のうちのいずれか一つまたは複数を組み合わせて実行されてもよく、また、ステップＳ７１０〜Ｓ７３０のうちのいずれか一つまたは複数を組み合わせて実行されてもよい。例えば、ステップＳ６１０〜Ｓ６３０のうちステップＳ６１０のみが実行され、ステップＳ７１０〜Ｓ７３０のうちステップＳ７１０のみが実行されてもよい。また、別の例として、ステップＳ６１０〜Ｓ６３０のうちステップＳ６１０、Ｓ６３０が実行され、ステップＳ７１０〜Ｓ７３０のうちステップＳ７１０、Ｓ７２０が実行されてもよい。
【０１４４】
［実施形態の変形例５］
上述の実施形態のステップＳ６２０においては、下流端領域９１及び上流端領域９２を構成する各幅単位領域９３のインク量のうちの最大値を、予め設定された最大閾値β１と比較していた。また、上述の実施形態のステップＳ７２０においては、下流端領域９１を構成する各幅単位領域９３のインク量のうちの最大値を、予め設定された最大閾値β２と比較していた。
【０１４５】
しかし、ステップＳ６２０において、下流端領域９１及び上流端領域９２を構成する各幅単位領域９３のインク量の各々を最大閾値β１と比較してもよい。また、ステップＳ７２０において、下流端領域９１を構成する各幅単位領域９３のインク量の各々を最大閾値β２と比較してもよい。
【０１４６】
そして、各幅単位領域９３のインク量のいずれかが、最大閾値β１よりも大きい場合（Ｓ６２０：Ｙｅｓ）、第１停止制御が実行され、最大閾値β１、β２以下の場合（Ｓ６２０：Ｙｅｓ）、差分判断（Ｓ６３０）が実行されてもよい。
【０１４７】
また、各幅単位領域９３のインク量のいずれかが、最大閾値β２よりも大きい場合（Ｓ７２０：Ｙｅｓ）、ステップＳ２１０〜Ｓ２３０が実行され、最大閾値β２以下の場合（Ｓ７２０：Ｙｅｓ）、差分判断（Ｓ７３０）が実行されてもよい。
【０１４８】
［実施形態の変形例５］
上述の実施形態においては、最大閾値β１、β２は、それぞれ１つの値が設定されていた。しかし、最大閾値β１、β２は、幅単位領域９３毎に設定されており、左右方向９の端部の幅単位領域９３における最大閾値β１、β２は、左右方向９の端部以外の幅単位領域９３における最大閾値β１、β２よりも小さく設定されていてもよい。
【０１４９】
例えば、図１２（Ａ）において、左右方向９の端部の幅単位領域９３Ａ、９３Ｑにおける最大閾値β１、β２は、左右方向９の端部以外の幅単位領域９３Ｂ〜９３Ｐにおける最大閾値β１、β２よりも小さい値に設定されていてもよい。
【０１５０】
左右方向９の端部以外は、その両端を当接部８３によって押さえられることが可能である。一方、左右方向９の端部は、その左右方向９の中央側のみが当接部８３によって押さえられ、端側が当接部８３によって押さえられない状態となるおそれがある。これにより、左右方向９の端部では、端部以外よりも少量のインクによって記録用紙１９が変形するおそれがある。そこで、変形例５では、変形しやすい左右方向９の端部の幅単位領域９３における最大閾値β１、β２が小さく設定されている。これにより、左右方向９の端部における記録用紙１９の変形を緩和することができる。
【符号の説明】
【０１５１】
９・・・左右方向
１０・・・複合機
１１・・・プリンタ部
１６・・・搬送向き
１９・・・記録用紙
２０・・・給紙トレイ
２３・・・主搬送路
２４・・・記録部
３１・・・第１ガイド部材
３２・・・第２ガイド部材
３３・・・第３ガイド部材
３４・・・第４ガイド部材
３６・・・ノズル
３９・・・第１位置
４０・・・第２位置
４２・・・プラテン
４７・・・反転ローラ対
５２・・・支持リブ
６３・・・搬送ローラ対
６７・・・反転搬送路
８３・・・当接部
９１・・・下流端領域
９２・・・上流端領域
１３０・・・制御部
【図１】
0005987448.tif 000002
【図２】
0005987448.tif 000003
【図３】
0005987448.tif 000004
【図４】
0005987448.tif 000005
【図５】
0005987448.tif 000006
【図６】
0005987448.tif 000007
【図７】
0005987448.tif 000008
【図８】
0005987448.tif 000009
【図９】
0005987448.tif 000010
【図１０】
0005987448.tif 000011
【図１１】
0005987448.tif 000012
【図１２】
0005987448.tif 000013
【図１３】
0005987448.tif 000014